(57)【要約】【課題】  簡易な構成でクリップを変形させることなく確実に環状溝に嵌め込むことができるクリップ取付装置を提供する。【解決手段】  環状溝５に輪状のクリップ４を嵌め込んで取り付ける装置であって、クリップ４を縮径させながら環状溝５に案内するスリーブ６、このスリーブ６の側面に傾斜を持って形成した切り欠き７と、この切り欠き７からスリーブ６の内周面にセットしたクリップ４を押し出してスリーブ６内を移動させ、環状溝５に嵌め込む、把持部９とシャフト部１０からなる押圧部材８を備える。シャフト部１０は、クリップ４を係合させて押し出すガイド部１１と、ヘッドプランジャ孔２に嵌装されたプランジャ３の孔３ａに嵌合させてスリーブ６を環状溝５に対して位置決めする嵌合部１２と、ガイド部１１と嵌合部１２を接続する連結部１３からなる。【選択図】        図５
2005074616.tif 000002
【特許請求の範囲】
【請求項１】
環状溝に輪状のクリップを嵌め込んで取り付ける方法であって、環状溝にクリップを案内するスリーブの内周面にクリップをセットする工程と、前記スリーブにセットされたクリップを押し出すことによって前記スリーブにより徐々にクリップを縮径させながら移動させ環状溝に嵌め込む工程からなることを特徴とするクリップ取付方法。
【請求項２】
環状溝に輪状のクリップを嵌め込んで取り付ける装置であって、クリップを縮径させながら環状溝に案内するスリーブと、このスリーブの側面に傾斜を持って形成した切り欠きと、この切り欠きから前記スリーブの内周面にセットしたクリップを押し出して前記スリーブ内を移動させ、環状溝に嵌め込む押圧部材を備えることを特徴とするクリップ取付装置。
【発明の詳細な説明】
【技術分野】
【０００１】
本発明は、環状溝に輪状のクリップを嵌め込んで取り付けるクリップ取付方法及びその装置に関する。
【背景技術】
【０００２】
従来のクリップ取付方法としては、作業者がラジオペンチなどの工具を用いてクリップを縮径して、取付対象部位の環状溝に嵌め込むようにすることが知られている。
【０００３】
また、穴にその内径より大きい外径の止め輪を挿入し、穴を形成する壁部が有する凹部に止め輪を係止する止め輪の組み付け装置として、穴の深部側に向かって狭まるすり鉢状傾斜面の最小内径より大きい外径の当接部で止め輪を穴の軸方向深部側に押圧することにより、すり鉢状傾斜面に沿って止め輪を径方向に圧縮する第一押圧手段と、すり鉢状傾斜面の最小内径より小さい外径の当接部で穴の軸方向深部側に止め輪を押圧することにより、止め輪を凹部まで移動させる第二押圧手段を備えるものが知られている（例えば、特許文献１参照）。
【特許文献１】特開２００２−２９２５２９号公報
【発明の開示】
【発明が解決しようとする課題】
【０００４】
しかし、ラジオペンチなどの工具を用いてクリップを環状溝に嵌め込む方法においては、クリップの変形、クリップのセット不良やクリップ飛びなどの不具合が発生する。また、クリップ飛びなどの取付失敗によりワーク内に入ったクリップを取り出すには、ワーク解体などの作業を必要とする場合があった。
【０００５】
また、特開２００２−２９２５２９号公報に記載の発明においては、止め輪を取り付ける対象となるワークに、すり鉢状傾斜面が形成されていなければならないため、すり鉢状傾斜面が形成されていないワークには適用することができず、ワークを選ぶという問題がある。
【０００６】
本発明は、従来の技術が有するこのような問題点に鑑みてなされたものであり、その目的とするところは、簡易な構成でクリップを変形させることなく確実に環状溝に嵌め込むことができるクリップ取付方法及びその装置を提供しようとするものである。
【課題を解決するための手段】
【０００７】
上記課題を解決すべく請求項１に係る発明は、環状溝に輪状のクリップを嵌め込んで取り付ける方法であって、環状溝にクリップを案内するスリーブの内周面にクリップをセットする工程と、前記スリーブにセットされたクリップを押し出すことによって前記スリーブにより徐々にクリップを縮径させながら移動させ環状溝に嵌め込む工程からなる。
【０００８】
請求項２に係る発明は、環状溝に輪状のクリップを嵌め込んで取り付ける装置であって、クリップを縮径させながら環状溝に案内するスリーブと、このスリーブの側面に傾斜を持って形成した切り欠きと、この切り欠きから前記スリーブの内周面にセットしたクリップを押し出して前記スリーブ内を移動させ、環状溝に嵌め込む押圧部材を備える。
【発明の効果】
【０００９】
以上説明したように本発明によれば、簡易な構成で、クリップを変形させることなく、迅速且つ確実に環状溝に嵌め込むことができる。また、クリップ取付作業の工数削減に寄与する。また、作業者の熟練度に左右されず、クリップ取付の品質を一定に維持することができる。更に、作業習熟度が要求されないため、作業訓練期間の短縮が図れる。
【発明を実施するための最良の形態】
【００１０】
以下に本発明の実施の形態を添付図面に基づいて説明する。ここで、図１はクリップを取り付けたピストンの断面図、図２は同じく正面図、図３はクリップの平面図、図４は本発明に係るクリップ取付装置へのクリップセット状態の平面図、図５は同じく一部断面図である側面図、図６は本発明に係るクリップ取付装置による環状溝へのクリップ取付状態の平面図、図７は同じく一部断面図である側面図である。
【００１１】
本発明に係るクリップ取付方法は、図１及び図２に示すように、ピストン１に開けたヘッドプランジャ孔２に嵌装したプランジャ３が突出しないように固定するクリップ４を、ヘッドプランジャ孔２の端部に設けた環状溝５に嵌め込むための方法である。
【００１２】
クリップ４は、図３に示すように、輪状で略Ｃ字形の形状に形成された弾性を有する金具である。また、ヘッドプランジャ孔２の開口には、一部に切り欠き部２ａが形成されている。なお、クリップ４を環状溝５に嵌め込んだ状態で、クリップ４の間隙部４ａがヘッドプランジャ孔２の切り欠き部２ａに臨むようにしなければならない。
【００１３】
本発明に係るクリップ取付装置は、図４及び図５に示すように、クリップ４を縮径させながら環状溝５に案内するスリーブ６と、スリーブ６の側面に傾斜を持って形成した切り欠き７と、切り欠き７からスリーブ６の内周面にセットしたクリップ４を押し出し、スリーブ６内を移動させて環状溝５に嵌め込む押圧部材８からなる。
【００１４】
スリーブ６の内径は、ヘッドプランジャ孔２の内径と同じか、若しくは公差分だけ小さめになっている。切り欠き７は、スリーブ６側面の部位６ａからスリーブ６の長手方向に約１０°〜１５°の傾斜角度でスリーブ６の中心に向けて、スリーブ６の径方向の約半分（中心軸）に至るまで形成されている。
【００１５】
押圧部材８は、スリーブ６内に摺動自在に嵌合され、作業者が押圧する把持部９と、把持部９に連結されたシャフト部１０からなる。シャフト部１０は、クリップ４を係合させて押し出すガイド部１１と、ヘッドプランジャ孔２に嵌装されたプランジャ３の孔３ａに嵌合させてスリーブ６を環状溝５に対して位置決めする嵌合部１２と、ガイド部１１と嵌合部１２を接続する連結部１３からなる。
【００１６】
以上のように構成した本発明に係るクリップ取付装置の動作及びクリップ取付方法について説明する。
【００１７】
先ず、スリーブ６から押圧部材８を抜いた状態で、クリップ４を切り欠き７から挿入して、切り欠き７の後端部のスリーブ６内周面に前方に傾けて斜めにセットする。
【００１８】
この時、クリップ４を環状溝５に嵌め込んだ状態で、クリップ４の間隙部４ａがヘッドプランジャ孔２の切り欠き部２ａに臨むように、クリップ４を多少縮径してスリーブ６の内周面にセットする。すると、クリップ４の約半分はスリーブ６の内周面に当接した状態になる。
次いで、図４及び図５に示すように、押圧部材８をスリーブ６内に挿入し、本装置を環状溝５に対して位置決めすべく嵌合部１２をヘッドプランジャ孔２に嵌装されたプランジャ３の孔３ａに嵌合させると共に、スリーブ６の端部をピストン１に当接させる。
【００１９】
すると、クリップ４の一部がガイド部１１の端部に形成した保持部１１ａに係合し、更に押圧部材８をピストン１側に押し出すことにより、クリップ４が切り欠き７を形成したスリーブ６内を移動することによって、その姿勢を斜めから垂直にしながら徐々に縮径される。そして、保持部１１ａがクリップ４全体を縮径した状態で保持する。
【００２０】
次いで、クリップ４がプランジャ３の端部に当接するまで、押圧部材８を押し出してクリップ４を移動させると、図６及び図７に示すように、クリップ４はスリーブ６とガイド部１１の保持部１１ａによる拘束から解放され、通常の状態に戻って環状溝５に取り付けられる。
【００２１】
クリップ４が環状溝５に取り付けられた後、ガイド部１１をヘッドプランジャ孔２に嵌装されたプランジャ３の孔３ａから引き抜き、クリップ４の環状溝５への取付作業は終了する。
【００２２】
また、本発明に係るクリップ取付方法及びその装置によれば、クリップ４の径が異なっても、スリーブ６の内径、保持部１１ａの形状や嵌合部１２の形状などを変更することにより対応することができる。また、インターナルサークリップの取り付けにも適用することができる。
【産業上の利用可能性】
【００２３】
クリップを変形させることなく、迅速且つ確実に環状溝に嵌め込む作業が、簡易な構成によりできるので、クリップのサイズに関係なくクリップ取付作業に適用できる。また、インターナルサークリップの取付作業にも、そのサイズに関係なく適用することができる。
【図面の簡単な説明】
【００２４】
【図１】クリップを取り付けたピストンの断面図
【図２】クリップを取り付けたピストンの正面図
【図３】クリップの平面図
【図４】本発明に係るクリップ取付装置へのクリップセット状態の平面図
【図５】本発明に係るクリップ取付装置へのクリップセット状態の一部断面図である側面図
【図６】本発明に係るクリップ取付装置による環状溝へのクリップ取付状態の平面図
【図７】本発明に係るクリップ取付装置による環状溝へのクリップ取付状態の一部断面図である側面図
【符号の説明】
【００２５】
１…ピストン、２…ヘッドプランジャ孔、３…プランジャ、４…クリップ、５…環状溝、６…スリーブ、７…切り欠き、８…押圧部材、９…把持部、１０…シャフト部、１１…ガイド部、１２…嵌合部。
【図１】
2005074616.tif 000003
【図２】
2005074616.tif 000004
【図３】
2005074616.tif 000005
【図４】
2005074616.tif 000006
【図５】
2005074616.tif 000007
【図６】
2005074616.tif 000008
【図７】
2005074616.tif 000009